(57)【要約】【課題】陳列什器等において情報表示を行う場合に、長期に亘り情報伝達機能が損なわれず、かつ、表示する情報の変更を容易とする。【解決手段】被取付部から前方に向かって突出して取り付けられたベース部９ａと、情報表示部１０が配置可能な配置片９ｂ１、及び、配置片９ｂ１から延出しかつベース部９ａに対して着脱可能に係止された載置片９ｂ２を有する着脱部９ｂと、ベース部９ａに装着された着脱部９ｂの配置片９ｂ１の前面に対向配設されると共に情報表示部１０を保護する保護板９ｃとを備える。【選択図】図６
2019076172.tif 000002
【特許請求の範囲】
【請求項１】
被取付部から前方に向かって突出して取り付けられたベース部と、
情報表示部が配置可能な配置部、及び、前記配置部から延出しかつ前記ベース部に対して着脱可能に係止された係止部を有する着脱部と、
前記ベース部に装着された着脱部の配置部の前面に対向配設されると共に前記情報表示部を保護する保護部と
を備えることを特徴とする表示装置。
【請求項２】
前記係止部は、前記ベース部の上面に対して上方から載置可能な平板状の載置片であることを特徴とする請求項１記載の表示装置。
【請求項３】
前記保護部は、前記ベース部に固定されると共に前記ベース部よりも上方に突出して設けられていることを特徴とする請求項１または２記載の表示装置。
【請求項４】
前記保護部は、透光性を有することを特徴とする請求項１〜３いずれか一項に記載の表示装置。
【請求項５】
前記ベース部に、前記情報表示部を前方に向けて前記配置部が収容可能な凹入部が前面に設けられていることを特徴とする請求項１〜４いずれか一項に記載の表示装置。
【請求項６】
前記係止部は、前記着脱部が前記ベース部に装着された状態で下方に露出された露出領域を少なくとも一部に有することを特徴とする請求項１〜５いずれか一項に記載の表示装置。
【請求項７】
前記ベース部は、上下方向に貫通し、前記着脱部が前記ベース部に装着された状態で前記係止部の一部を下方に向けて露出する貫通孔を有することを特徴とする請求項６記載の表示装置。
【請求項８】
前記ベース部の水平方向におけるいずれか一方の側方に配置され、前記被取付部と前記保護部との隙間を側方から閉塞する閉塞部を備えることを特徴とする請求項１〜７いずれか一項に記載の表示装置。
【請求項９】
前方に向けて開口された開口部が設けられた物品収容部を有する陳列什器本体部と、
前記物品収容部の開口部を開閉可能とする扉本体と、
前記扉本体を前記被取付部として前記ベース部が取り付けられる請求項１〜８いずれか一項に記載の表示装置と
を備えることを特徴とする陳列什器。
【発明の詳細な説明】
【技術分野】
【０００１】
本発明は、表示装置及び陳列什器に関するものである。
【背景技術】
【０００２】
オフィスや公共施設等の室内空間においては、雑誌、パンフレット、カタログ、チラシ等の陳列物を陳列するための陳列什器を設置する場合が多くみられる。こうした陳列什器としては、陳列物を人々の目に触れやすいように陳列するため、陳列物の表紙等が陳列什器の前方に向けて配置されるような陳列スペースが設けられている。さらに、例えば特許文献１及び２に開示されているように、雑誌等のバックナンバやストックを収容するための物品収容部が陳列スペースの背面に設けられた陳列什器が多くみられる。
【先行技術文献】
【特許文献】
【０００３】
【特許文献１】特開２００６−２６３１２６号公報
【特許文献２】特許第４８１３１４９号公報
【発明の概要】
【発明が解決しようとする課題】
【０００４】
ところで、上述のような陳列什器においては、陳列物の名称や説明を表示する場合がある。このような場合には、一般的には、名称や説明を表示したシールを陳列什器の前面に貼付する形態が多くみられる。しかしながら、特に図書館等の不特定多数の者が陳列什器を利用するような環境では、シールが汚れたり、シールが剥がれたりすることによって、情報伝達機能が損なわれることが多くある。また、陳列物を変更する際に、シールが粘着していることから、表示する情報の変更が容易ではない。なお、このような問題は、陳列什器に限られるものではなく、ロッカ等の収容什器や部屋の入口に配置される案内部でも同様に生じるものである。
【０００５】
本発明は、上述する問題点に鑑みてなされたもので、陳列什器等において情報表示を行う場合に、長期に亘り情報伝達機能が損なわれず、かつ、表示する情報の変更を容易とすることを目的とする。
【課題を解決するための手段】
【０００６】
本発明は、上記課題を解決するための手段として、以下の構成を採用する。
【０００７】
第１の発明は、表示装置であって、被取付部から前方に向かって突出して取り付けられたベース部と、情報表示部が配置可能な配置部、及び、上記配置部から延出しかつ上記ベース部に対して着脱可能に係止された係止部を有する着脱部と、上記ベース部に装着された着脱部の配置部の前面に対向配設されると共に上記情報表示部を保護する保護部とを備えるという構成を採用する。
【０００８】
本発明においては、被取付部に対して取り付けられたベース部に対して着脱可能とされた着脱部が、情報表示部が配置可能な配置部と、配置部から延出してベース部に対して着脱可能に係止された係止部とを備えている。このため、本発明によれば、着脱部をベース部から取り外して交換することによって、表示する情報を容易に変更することができる。また、本発明においては、ベース部に装着された着脱部の配置部の前面に対向配設された保護部が着脱部の配置部に配置された情報表示部を保護する。このため、本発明によれば、保護部によって情報表示部の情報が汚れること等を防止することができる。
【０００９】
第２の発明は、上記第１の発明において、上記係止部が、上記ベース部の上面に対して上方から載置可能な平板状の載置片であるという構成を採用する。
【００１０】
本発明によれば、係止部が平板状の載置片であることから、着脱部をベース部に装着した後に、係止部の上面に対して物品を載置することができる。このため、表示装置に対して陳列物等の物品を安定して載置することが可能となる。
【００１１】
第３の発明は、上記第１または第２の発明において、上記保護部が、上記ベース部に固定されると共に上記ベース部よりも上方に突出して設けられているという構成を採用する。
【００１２】
本発明によれば、保護部がベース部よりも上方に突出して設けられているため、ベース部に対して直接的あるいは間接的に載置した物品を保護部によって支えることが可能となる。このため、物品を安定させることが可能となる。
【００１３】
第４の発明は、上記第１〜第３いずれかの発明において、上記保護部が、透光性を有するという構成を採用する。
【００１４】
本発明によれば、保護部が透光性を有しているため、保護部によって情報表示部の全体を覆うことが可能となる。このため、保護部によって、より確実に情報表示部を保護することが可能となる。
【００１５】
第５の発明は、上記第１〜第４いずれかの発明において、上記ベース部に、上記情報表示部を前方に向けて上記配置部が収容可能な凹入部が前面に設けられているという構成を採用する。
【００１６】
本発明によれば、ベース部の前面に凹入部が設けられているため、ベース部と保護部との間に隙間を設けることなく、ベース部と保護部とを密着させることができる。このため、表示装置の奥行寸法を抑制することが可能となる。
【００１７】
第６の発明は、上記第１〜第５いずれかの発明において、上記係止部が、上記着脱部が上記ベース部に装着された状態で下方に露出された露出領域を少なくとも一部に有するという構成を採用する。
【００１８】
本発明によれば、着脱部が装着された状態で係止部の一部が下方に露出されている。このため、下方に向けて露出された露出領域を下方から押し上げることによって、着脱部をベース部から容易に取り外すことが可能となる。
【００１９】
第７の発明は、上記第６の発明において、上記ベース部が、上下方向に貫通し、上記着脱部が上記ベース部に装着された状態で上記係止部の一部を下方に向けて露出する貫通孔を有するという構成を採用する。
【００２０】
本発明によれば、ベース部に設けられた貫通孔を介して、係止部の露出領域を押し上げることによって着脱部を容易にベース部から取り外すことができる。また、着脱部がベース部に装着されている状態では、貫通孔を係止部によって上方から覆い隠すことができるため、表示装置の意匠性を向上させることが可能となる。
【００２１】
第８の発明は、上記第１〜第７いずれかの発明において、上記ベース部の水平方向におけるいずれか一方の側方に配置され、上記被取付部と上記保護部との隙間を側方から閉塞する閉塞部を備えるという構成を採用する。
【００２２】
また、本発明によれば、閉塞部によって、被取付部と保護部との隙間の水平方向の一方側が閉塞される。このため、被取付部と保護部との間に配置した物品が落下することを防止することができる。
【００２３】
第９の発明は、陳列什器であって、前方に向けて開口された開口部が設けられた物品収容部を有する陳列什器本体部と、上記物品収容部の開口部を開閉可能とする扉本体と、上記扉本体を上記被取付部として上記ベース部が取り付けられる上記第１〜第８いずれかの発明である表示装置とを備えるという構成を採用する。
【００２４】
本発明によれば、陳列什器が第１〜第８の発明である表示装置を備えるため、表示する情報を容易に変更することができ、情報表示部の情報が汚れること等を防止することができる。
【発明の効果】
【００２５】
本発明によれば、着脱部をベース部から取り外して交換することによって、表示する情報を容易に変更することができ、保護部によって情報表示部の情報が汚れること等を防止することができる。このため、本発明によれば、陳列什器等において情報表示を行う場合に、長期に亘り情報伝達機能が損なわれず、かつ、表示する情報の変更を容易とすることが可能となる。
【図面の簡単な説明】
【００２６】
【図１】本発明の一実施形態における陳列什器の概略構成を示す斜視図である。
【図２】本発明の一実施形態における陳列什器の正面図である。
【図３】本発明の一実施形態における陳列什器の側面図である。
【図４】図１のＡ−Ａ断面図である。
【図５】図４に示す扉本体３の拡大図である。
【図６】本発明の一実施形態の陳列什器が備える表示装置の拡大斜視図である。
【図７】図６のＢ−Ｂ断面図である。
【図８】図６のＣ−Ｃ断面図である。
【図９】表示装置が備えるベース部と着脱部との分解斜視図である。
【図１０】本発明の一実施形態の陳列什器が備える表示装置において着脱部を装着する様子を模式的に示す斜視図である。
【図１１】本発明の一実施形態における陳列什器の変形例の概略構成を示す斜視図である。
【図１２】本発明の一実施形態の陳列什器が備える表示装置の第１変形例の斜視図である。
【図１３】本発明の一実施形態の陳列什器が備える表示装置の第２変形例の断面図である。
【発明を実施するための形態】
【００２７】
以下、図面を参照して、本発明に係る表示装置及び陳列什器の一実施形態について説明する。なお、以下の図面において、各部材を認識可能な大きさとするために、各部材の縮尺を適宜変更している。
【００２８】
図１は、本実施形態の陳列什器１の概略構成を示す斜視図である。図２は、本実施形態の陳列什器１の正面図である。図３は、本実施形態の陳列什器１の側面図である。図４は、図１のＡ−Ａ断面図である。これらの図に示すように、本実施形態の陳列什器１は、陳列什器本体部２と、扉本体３と、蝶番固定具４と、ストッパ５と、蝶番６と、マグネットキャッチ７と、クッション部材８と、表示装置９とを備えている。なお、図１等に示すように、本実施形態の陳列什器１における前後方向は、後述する裏板２ｂの表裏面に直交する方向である。また、前後方向と直交する水平方向は左右方向であり、前後方向及び左右方向と直交する方向が上下方向である。
【００２９】
陳列什器本体部２は、一対の側板２ａと、裏板２ｂと、複数の間仕切板２ｃと、底板２ｄと、天板２ｅと、複数の棚板２ｆとを備えている。側板２ａは、陳列什器本体部２の左右方向の端部の各々に配置されており、互いに表裏面を対向させるようにして左右方向に離間して配置されている。これらの側板２ａの一方の外表面から他方の外表面までの寸法が、陳列什器本体部２の幅寸法（すなわち本実施形態の陳列什器１の幅寸法）となっている。なお、図４に示すように、本実施形態の陳列什器１においては、右側に配置された側板２ａの前後寸法は、左側に配置された側板２ａの前後寸法より短く設定されている。各々の側板２ａは、後側端部が前後方向において同位置となるように配置されている。つまり、右側に配置された側板２ａの前側端部は、左側に配置された側板２ａの前側端部よりも後方に位置している。
【００３０】
裏板２ｂは、表裏面を前後方向に対して垂直になるように立設されており、両端部の各々が側板２ａの後側端部に固定されている。これらの裏板２ｂ及び側板２ａは、同一の高さ寸法とされており、下端部が載置面に対して当接されている。なお、アジャスタ等を介して裏板２ｂ及び側板２ａを載置面に当接するようにしても良い。
【００３１】
間仕切板２ｃは、２つの側板２ａの間に複数（本実施形態においては３枚）配置されており、側板２ａと平行となるように表裏面を左右方向に向けている。このような間仕切板２ｃは、隣り合う他の間仕切板２ｃあるいは側板２ａと、さらには底板２ｄ及び天板２ｅと共に物品収容部２０を形成する。本実施形態の陳列什器１においては、隣り合う間仕切板２ｃ同士、隣り合う側板２ａと間仕切板２ｃの各々によって物品収容部２０が形成されており、左右方向に配列されて、合計で４つの物品収容部２０が形成されている。各々の間仕切板２ｃは、左右方向に隣接する物品収容部２０のうち、左側の物品収容部２０の右側端部を形成し、右側の物品収容部２０の左側端部を形成している。
【００３２】
物品収容部２０は、前方に向けて開口された開口部２１を有している。ここで、本実施形態の陳列什器１においては、図４では開口部２１を仮想線により示している。この図４の仮想線から分かるように、左縁部が右縁部よりも前方に位置するように開口部２１が設定されている。より詳細には、開口部２１の左縁部の前後方向における位置が、左側の側板２ａの前後方向における前端位置とされている。また、開口部２１の右縁部の前後方向における位置が、右側の側板２ａの前後方向における前端位置とされている。これによって、各々の物品収容部２０の開口部２１の開口面は、平面視において、陳列什器本体部２の前後方向に対して右側に向けて傾斜されている。
【００３３】
なお、本実施形態の陳列什器１においては、図４に示すように、開口部２１の左縁部と隣接する他の開口部２１の右縁部とが後方側に変位して配置され、開口部２１の右縁部と隣接する他の開口部２１の左縁部とが前方側に変位して配置されている。さらに、平面視にて、全て（４つ）の物品収容部２０の開口部２１の左縁部の前後方向における位置が一致され、全ての物品収容部２０の開口部２１の右縁部の前後方向における位置が一致されている。これによって、全て（４つ）の物品収容部２０の開口部２１は、前後方向において同位置に配置されている。
【００３４】
ただし、上述のように、物品収容部２０の一部を形成する間仕切板２ｃは、左右方向に隣接する物品収容部２０のうち、左側の物品収容部２０の右側端部を形成し、右側の物品収容部２０の左側端部を形成している。このため、間仕切板２ｃの前後寸法は、間仕切板２ｃの前端位置が開口部２１の左縁部位置に一致する寸法に設定されている。
【００３５】
底板２ｄは、水平に配置された底板２ｄ、天板２ｅと、棚板２ｆとのうち最も下に配置されており、物品収容部２０の下部を形成している。天板２ｅは、底板２ｄ、天板２ｅと、棚板２ｆのうち最も上に配置されており、物品収容部２０の上部を形成している。これらの底板２ｄ及び天板２ｅは、前縁部が各々の開口部２１位置にて開口面に応じて前後方向に対して傾斜するように、平面視にて略鋸刃状の波形状とされている。
【００３６】
棚板２ｆは、各々の物品収容部２０に対して上下方向に配列されている。これらの棚板２ｆは、不図示のダボ等によって側板２ａあるいは間仕切板２ｃに対して固定されている。このような棚板２ｆは、物品収容部２０の内部空間を上下方向に複数の領域に区画している。つまり、本実施形態の陳列什器１において、各々の物品収容部２０は、上下方向に区画されている。このような陳列什器本体部２では、図４に示すように、物品収容部２０の各々の区画領域に対して雑誌のバックナンバやストック等の物品を収容することができる。
【００３７】
扉本体３は、蝶番６によって陳列什器本体部２に対して回動可能に支持されており、物品収容部２０ごとに設けられている。つまり、本実施形態の陳列什器１においては陳列什器本体部２が４つの物品収容部２０を有していることから、扉本体３も物品収容部２０に合わせて４つ設けられている。このような扉本体３は、物品収容部２０を開閉可能としている。
【００３８】
図５は、図４に示す扉本体３の拡大図である。この図に示すように扉本体３は、物品収容部２０の開口部２１を閉鎖可能な大きさを有する矩形状の板部材であり、蝶番固定具４と、ストッパ５を支持している。この板状の扉本体３は、開口部２１を閉鎖している状態で、図５に示すように、左端部が陳列什器本体部２との間に隙間Ｓを形成する大きさとされている。このような扉本体３の左端部は、扉本体３を開閉する場合に、開閉動作を行う者が指を掛ける指掛け部３ａとなっている。
【００３９】
蝶番固定具４は、平面視が略Ｌ形状の例えば金属からなる部品であり、扉本体３の右側端部に不図示のネジ等によって固定されている。この蝶番固定具４は、図５に示すように２つの平板部４ａが９０°屈曲して接続された形状とされており、扉本体３の上下方向の全域に亘って設けられている。蝶番固定具４は、一方の平板部４ａが扉本体３の背面に当接し、他の平板部４ａが扉本体３の前面の法線方向にて扉本体３の右端部から扉本体３の前方に延出されるように配置されている。このような平板部４ａは、表示装置９に陳列物が載置された場合に、扉本体３の開閉によって陳列物が扉本体３の右端部側から脱落することを防止するストッパとしても機能する。
【００４０】
ストッパ５は、扉本体３の左端部側の背面に固定された部品であり、不図示のネジ等によって固定されている。このストッパ５は、図５に示すように板部材が屈曲されることによって形成されており、扉本体３の上下方向の全域に亘って設けられている。このストッパ５は、扉本体３が開口部２１を閉鎖する場合に、側板２ａあるいは間仕切板２ｃの前端面に対して当接することによって、扉本体３の回動を規制する。なお、このストッパ５が側板２ａあるいは間仕切板２ｃの前端面に対して当接した状態であっても、上述のように、扉本体３の左端部と側板２ａあるいは間仕切板２ｃの間には、指掛け部３ａを形成するための隙間Ｓが形成される。ただし、ストッパ５が扉本体３の上下方向の全域に亘って設けられているため、隙間Ｓを介して埃等が物品収容部２０に侵入することを防止することができる。
【００４１】
蝶番６は、軸部６ａと、第１固定板６ｂと、第２固定板６ｃとを備えている。軸部６ａは、第１固定板６ｂと第２固定板６ｃとの各々を回動可能に軸支する。第１固定板６ｂは、不図示のネジ等によって蝶番固定具４に固定され、第２固定板６ｃは、不図示のネジ等によって開口部２１の右縁部（すなわち間仕切板２ｃあるいは側板２ａ）に固定されている。このような蝶番６は、扉本体３の前面の法線方向の蝶番固定具４の先端位置に軸部６ａが配置されており、軸部６ａを中心として扉本体３を陳列什器本体部２に対して回動可能に支持する。つまり、本実施形態の陳列什器１においては、扉本体３が蝶番固定具４を介して蝶番６によって開口部２１の右縁部に蝶着されている。
【００４２】
この蝶番６は、例えば図２に示すように、１つの扉本体３に対して上下方向に配列されて複数（本実施形態では４つ）設けられている。これらの蝶番６によって扉本体３は、閉鎖姿勢（図５等に示す姿勢）と開放姿勢（図４の最も左側の扉本体３が示す姿勢）との間で回動可能とされている。なお、本実施形態の陳列什器１において、扉本体３の閉鎖姿勢は、平面視にて扉本体３が陳列什器本体部２の前後方向に対して傾斜した姿勢となっている。
【００４３】
マグネットキャッチ７及びクッション部材８は、図２に示すように、各々の扉本体３に対して上下一箇所ずつ、合計２つずつ設けられている。マグネットキャッチ７は、磁力によって扉本体３の閉鎖姿勢を保持するものである。また、クッション部材８は、扉本体３が陳列什器本体部２に直接接触することを防止するために、閉鎖姿勢の扉本体３と陳列什器本体部２との間に介在される。
【００４４】
表示装置９は、扉本体３の前面に対して、物品収容部２０の区画領域に合わせて上下方向に配列されて複数（本実施形態においては５つ）設けられている。図６は、表示装置９の拡大斜視図である。また、図７は、図６のＢ−Ｂ断面図である。また、図８は、図６のＣ−Ｃ断面図である。また、図９は、表示装置９が備える後述のベース部９ａと着脱部９ｂとの分解斜視図である。これらの図に示すように、各々の表示装置９は、ベース部９ａと、着脱部９ｂと、保護板９ｃと、締結具９ｄとを備えている。
【００４５】
ベース部９ａは、扉本体３を被取付部とし、扉本体３から前方（扉本体３の表面の法線方向）に向かって突出して設けられている。図９に示すように、上壁部９ａ１と、下壁部９ａ２と、前壁部９ａ３と、側壁部９ａ４とを有する中空の略箱形状の金具である。上壁部９ａ１と下壁部９ａ２とは表裏面を上下方向に向けて配置される平板状の壁部であり、上下方向に離間して対向配置されている。これらの上壁部９ａ１及び下壁部９ａ２には、上下方向から見て重なるように貫通孔９ａ５が２つずつ形成されている。これらの貫通孔９ａ５は、着脱部９ｂの後述する載置片９ｂ２を下方に向けて露出している。このような貫通孔９ａ５に対して棒部材を下方から差し込み、載置片９ｂ２を下方から押し上げることによって、着脱部９ｂを容易に持ち上げることが可能とされている。
【００４６】
前壁部９ａ３は、上壁部９ａ１の前縁部と下壁部９ａ２の前縁部とを接続し、表裏面が扉本体３（図５等参照）の表面と平行となるように配置されている。このような前壁部９ａ３の水平方向における中央部には、上壁部９ａ１及び下壁部９ａ２の後縁部方向に窪む凹入部９ａ６が設けられている。この凹入部９ａ６は、着脱部９ｂの後述する平板状の配置片９ｂ１が収容される部位であり、配置片９ｂ１の厚さ寸法と同程度の深さ寸法とされている。このような凹入部９ａ６に配置片９ｂ１が嵌合されることによって、配置片９ｂ１の表面が前壁部９ａ３の表面と面一となる。また、前壁部９ａ３は、凹入部９ａ６を水平方向にて挟むように２つのボルト挿通孔９ａ７が設けられている。これらのボルト挿通孔９ａ７は、締結具９ｄの後述するボルト９ｄ１の軸部が通過される貫通孔である。
【００４７】
側壁部９ａ４は、上壁部９ａ１、下壁部９ａ２及び前壁部９ａ３の水平方向の側縁部同士を接続するように、ベース部９ａの水平方向の両端に各々設けられている。なお、ベース部９ａの背面側には壁部が設けられておらず、ベース部９ａは扉本体３側に向けて開口されている。
【００４８】
着脱部９ｂは、図９に示すように、配置片９ｂ１（配置部）と、載置片９ｂ２（係止部）とを備えた金具であり、ベース部９ａに対して着脱可能とされている。配置片９ｂ１は、雑誌名等の情報表示部１０が配置される平板状の部位であり、載置片９ｂ２の前縁部の水平方向の中央部から下方に向けて垂下されている。載置片９ｂ２は、配置片９ｂ１の上縁部から配置片９ｂ１の裏面の法線方向に延出する平板部である。この載置片９ｂ２は、表裏面を上下方向に向けた状態で、ベース部９ａの上壁部９ａ１の上面に上方から載置される。このような載置片９ｂ２がベース部９ａの上壁部９ａ１の上面に載置されることによって、着脱部９ｂがベース部９ａに対して係止される。また、着脱部９ｂがベース部９ａに対して係止された状態では、載置片９ｂ２の上面は、陳列物等の物品を載置する載置面として機能する。つまり、物品は、載置片９ｂ２の上面に載置された状態で陳列されることとなる。
【００４９】
なお、配置片９ｂ１に配置される情報表示部１０は、例えば、文字の形状とされたシールによって形成される。つまり、本実施形態においては、情報表示部１０として「ＡＢＣＤ」形状のシールが配置片９ｂ１に貼付（配置）されている。なお、情報表示部１０は、本実施形態のように文字の形状をしたシールに限られるものではない。例えば、図形の形状とされたシールや、文字や図形が形成されたシールを情報表示部１０とすることも可能である。また、文字や図形の形状とされた部材や文字や図形が形成された部材を固定部材にて配置片９ｂ１に固定することにより、情報表示部１０を配置片９ｂ１に配置するようにしても良い。さらに、情報表示部１０として、印字や刻印を用いることも可能である。つまり、配置片９ｂ１に情報表示部１０を配置するとは、文字や図形等の情報が配置されていることを意味する。
【００５０】
保護板９ｃは、透光性を有するアクリル等からなる平板であり、締結具９ｄによってベース部９ａの前壁部９ａ３に固定されている。この保護板９ｃは、図６に示すように、ベース部９ａに装着された着脱部９ｂの配置片９ｂ１の前面に対向配設されており、配置片９ｂ１の全面を覆っている。このような保護板９ｃは、配置片９ｂ１の前面に配置された情報表示部１０を外部から視認可能な状態で保護している。また、保護板９ｃは、図６等に示すように、ベース部９ａよりも上方に突出して設けられている。このような保護板９ｃは、保護板９ｃと扉本体３との間に配置された物品を支えると共に前方に落下することを防止している。なお、保護板９ｃには、図７に示すように、締結具９ｄのボルト９ｄ１の軸部が挿通される挿通孔９ｃ１が設けられている。
【００５１】
締結具９ｄは、例えば図８に示すように、ボルト９ｄ１とナット９ｄ２とにより構成されている。ボルト９ｄ１は、頭部が保護板９ｃの手前に配置されるように、軸部が保護板９ｃの挿通孔９ｃ１、ベース部９ａのボルト挿通孔９ａ７及び扉本体３のボルト挿通孔３ｂに連通され、雄ネジが形成された先端部が扉本体３の背面に突出するように設けられている。ナット９ｄ２は、ボルト９ｄ１の先端部に螺合され、扉本体３の背面に当接されている。このような締結具９ｄによって、扉本体３と、ベース部９ａと、保護板９ｃとが共締めされている。
【００５２】
なお、本実施形態においては、図５に示すように、蝶番固定具４は、ベース部９ａの右側方に配置され、扉本体３と保護板９ｃとの隙間を側方から閉塞する閉塞部として機能する。つまり、このような蝶番固定具４は、表示装置９の上記閉塞部としても用いられている。
【００５３】
このような本実施形態の陳列什器１では、閉鎖姿勢の扉本体３が陳列什器１の前後方向に対して傾斜されているため、表示装置９に雑誌等の陳列物を配置すると、陳列物が陳列什器１の前後方向に対して傾斜した方向に向けられる。また、閉鎖姿勢の扉本体３の指掛け部３ａに指を掛け、扉本体３の左端部をマグネットキャッチ７の吸着力以上の力で引き寄せると、扉本体３が表示装置９ごと蝶番６の軸部６ａを中心として回動する。扉本体３を開放姿勢とすると、物品収容部２０が全開となり、物品収容部２０の各区画領域に対して物品を出し入れすることができる。
【００５４】
また、表示装置９において、着脱部９ｂをベース部９ａに対して装着する場合には、図１０に示すように、左側方から扉本体３と保護板９ｃとの間に着脱部９ｂを差し込み、配置片９ｂ１をベース部９ａの凹入部９ａ６に差し込むと共に、載置片９ｂ２をベース部９ａの上壁部９ａ１の上面に載置する。一方、着脱部９ｂをベース部９ａから脱離する場合には、ベース部９ａに設けられた貫通孔９ａ５に棒部材を下方から挿入し、載置片９ｂ２の露出領域を下方から押し上げ、その後、着脱部９ｂを扉本体３と保護板９ｃとの間から抜き出す。
【００５５】
本実施形態の表示装置９においては、扉本体３に対して取り付けられたベース部９ａに対して着脱可能とされた着脱部９ｂが、情報表示部１０が配置可能な配置片９ｂ１と、配置片９ｂ１から延出してベース部９ａに対して着脱可能に係止された載置片９ｂ２とを備えている。このため、本実施形態の表示装置９によれば、着脱部９ｂをベース部９ａから取り外して交換することによって、表示する情報を容易に変更することができる。また、本実施形態の表示装置９においては、ベース部９ａに装着された着脱部９ｂの配置片９ｂ１の前面に対向配設された保護板９ｃが着脱部９ｂの配置片９ｂ１に配置された情報表示部１０を保護する。このため、本実施形態の表示装置９によれば、保護板９ｃによって情報表示部１０の情報が汚れること等を防止することができる。よって、本実施形態の表示装置９によれば、長期に亘り情報伝達機能が損なわれず、かつ、表示する情報の変更を容易とすることが可能となる。
【００５６】
また、本実施形態の表示装置９においては、載置片９ｂ２が、ベース部９ａの上面に対して上方から載置可能な平板状の載置片９ｂ２とされている。このため、着脱部９ｂをベース部９ａに装着した後に、載置片９ｂ２の上面に対して物品を載置することができる。このため、本実施形態の表示装置９に対して陳列物等の物品を安定して載置することが可能となる。
【００５７】
また、本実施形態の表示装置９においては、保護板９ｃが、ベース部９ａに固定されると共にベース部９ａよりも上方に突出して設けられている。このため、着脱部９ｂを介してベース部９ａに対して載置した物品を保護板９ｃによって支えることが可能となり、物品を安定させることが可能となる。
【００５８】
また、本実施形態の表示装置９においては、保護板９ｃが透光性を有する。このため、保護板９ｃによって情報表示部１０の全体を覆うことが可能となり、保護板９ｃによって、より確実に情報表示部１０を保護することが可能となる。
【００５９】
また、本実施形態の表示装置９においては、ベース部９ａに、情報表示部１０を前方に向けて配置片９ｂ１が収容可能な凹入部９ａ６が前面に設けられている。このため、ベース部９ａと保護板９ｃとの間に隙間を設けることなく、ベース部９ａと保護板９ｃとを密着させることができる。このため、表示装置９の奥行寸法を抑制することが可能となる。
【００６０】
また、本実施形態の表示装置９においては、載置片９ｂ２が、着脱部９ｂがベース部９ａに装着された状態で下方に露出された露出領域を少なくとも一部に有する。このため、  本実施形態の表示装置９によれば、着脱部９ｂが装着された状態で載置片９ｂ２の一部が下方に露出され、下方に向けて露出された露出領域を下方から押し上げることによって、着脱部９ｂをベース部９ａから容易に取り外すことが可能となる。
【００６１】
また、本実施形態の表示装置９においては、ベース部９ａが、上下方向に貫通し、着脱部９ｂがベース部９ａに装着された状態で載置片９ｂ２の一部を下方に向けて露出する貫通孔９ａ５を有している。このため、ベース部９ａに設けられた貫通孔９ａ５を介して、載置片９ｂ２の露出領域を押し上げることによって着脱部９ｂを容易にベース部９ａから取り外すことができる。また、着脱部９ｂがベース部９ａに装着されている状態では、貫通孔を載置片９ｂ２によって上方から覆い隠すことができるため、表示装置９の意匠性を向上させることが可能となる。
【００６２】
また、本実施形態の表示装置９においては、ベース部９ａの水平方向におけるいずれか一方の側方である右側方に配置され、扉本体３と保護板９ｃとの隙間を側方から閉塞する閉塞部として機能する蝶番固定具４を備えている。このため、蝶番固定具４によって、扉本体３と保護板９ｃとの隙間の水平方向の一方側が閉塞され、扉本体３と保護板９ｃとの間に配置した物品が落下することを防止することができる。
【００６３】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６４】
例えば、上記実施形態においては、複数領域に区画された１つの物品収容部２０に対して、単一の扉本体３が設置され、扉本体３を開放することによって上下に配列された複数の区画領域が同時に開放される構成について説明した。しかしながら、本発明はこれに限定されるものではない。例えば、図１１の変形例に示すように、各々の区画領域ごとに開閉を可能とするために、扉本体３を上下方向に分割して設けるようにしても良い。このような場合には、各々の扉本体３に対して少なくとも１つの蝶番６を設置する必要がある。
【００６５】
また、上記実施形態においては、ベース部９ａの貫通孔９ａ５によって着脱部９ｂの載置片９ｂ２の一部を露出する構成について説明した。しかしながら、本発明はこれに限定されるものではなく、表示装置９の第１変形例の斜視図である図１２に示すように、載置片９ｂ２の端部をベース部９ａから突出させ、突出された端部の下面を露出面とする構成を採用することも可能である。
【００６６】
また、上記実施形態においては、着脱部９ｂの配置片９ｂ１が平板状である構成について説明した。しかしながら、表示装置９の第２変形例の断面図である図１３に示すように、着脱部９ｂの配置片９ｂ１の下端に前方に突出する情報表示部載置突部９ｂ３を設けるようにしても良い。この場合、情報表示部載置突部９ｂ３の設置スペースを確保するために、例えば、着脱部９ｂと保護板９ｃとの間に、ワッシャ１１を設置するようにしても良い。このような構成を採用することにより、カード状の情報表示部１０を情報表示部載置突部９ｂ３に載置することにより、情報表示部１０を配置片９ｂ１に配置することが可能となる。
【００６７】
また、上記実施形態においては、保護板９ｃがベース部９ａの上方に突出して設けられている構成を採用した。しかしながら、本発明はこれに限定されるものではなく、保護板９ｃの上端がベース部９ａの上壁部９ａ１を超えない高さに位置する構成を採用することも可能である。
【００６８】
また、保護板９ｃが配置片９ｂ１の全面を覆わずに一部のみを覆う構成を採用することも可能である。例えば、保護板９ｃに換えて、枠状の保護部を設ける構成を採用することも可能である。このような場合には、保護部が透光性を有していない構成とすることも可能である。
【００６９】
また、上記実施形態においては、表示装置９が陳列什器１に設置された構成について説明した。しかしながら、本発明はこれに限定されるものではない。表示装置は、ロッカ等の収容什器や、部屋の入出扉の側方等に設置することも可能であり、設置箇所が限定されるものではない。
【符号の説明】
【００７０】
１……陳列什器、２……陳列什器本体部、３……扉本体（被取付部）、４……蝶番固定具（閉塞部）、５……ストッパ、６……蝶番、７……マグネットキャッチ、８……クッション部材、９……表示装置、９ａ……ベース部、９ａ５……貫通孔、９ａ６……凹入部、９ｂ……着脱部、９ｂ１……配置片（配置部）、９ｂ２……載置片（係止部）、９ｂ３……情報表示部載置突部、９ｃ……保護板（保護部）、１０……情報表示部、１１……ワッシャ
【図１】
2019076172.tif 000003
【図２】
2019076172.tif 000004
【図３】
2019076172.tif 000005
【図４】
2019076172.tif 000006
【図５】
2019076172.tif 000007
【図６】
2019076172.tif 000008
【図７】
2019076172.tif 000009
【図８】
2019076172.tif 000010
【図９】
2019076172.tif 000011
【図１０】
2019076172.tif 000012
【図１１】
2019076172.tif 000013
【図１２】
2019076172.tif 000014
【図１３】
2019076172.tif 000015